(57)【要約】      （修正有）【課題】吹き込み口における呼気の空気抵抗を大きく取れるように形成し、少量の呼気により歌口より発する救命音を大きくして、体力の落ちた者にとっても少量の呼気で安定した周波数帯域の救命音を発することを可能とする救命用ホイッスルを提供する。【解決手段】ホイッスル本体は、第１の空所１１を備えたキャップ１０と、キャップ１０に螺合する笛部２０を含む。笛部は、呼気が流入流出する小径の呼気流入流出部２１と、呼気流入流出部に比べ大径に形成されるとともに、呼気流入流出部の基端部側において隔壁２７をもって呼気流入流出部と一体的に形成され、片面に医療情報を記したシートを巻紙状にして収容する第２の空所２２を備える。笛部の呼気流入流出部には吹込み口２３と歌口２４が形成され、吹き込み口２３は、笛部の底部に開口した小孔により形成される。【選択図】図６
0003180244.tif 000002
【実用新案登録請求の範囲】
【請求項１】
ホイッスル本体を含んで構成され、
該ホイッスル本体は、第１の空所を備えたキャップと、該キャップに螺合する笛部を含んで形成され、
該笛部は、呼気が流入流出する小径の呼気流入流出部と、該呼気流入流出部に比べ大径に形成されるとともに、呼気流入流出部の基端部側において隔壁をもって呼気流入流出部と一体的に形成され、医療情報を記したシートを巻紙状にして収容する第２の空所を備え、前記笛部の呼気流入流出部には吹込み口と歌口が形成され、該吹き込み口は、前記笛部の底部に開口した小孔により形成され、
前記第１の空所と第２の空所が形成するスペースに前記シートが収容され、前記ホイッスル本体はシート収容空間を備えたカプセル部を形成することを特徴とする救命用ホイッスル。
【請求項２】
前記笛部の呼気流入流出部の長手方向の長さをＬ、前記笛部の吹き込み口側の直径をＲとするときに、ＬとＲの関係を（１／４）×Ｌ＜Ｒ＜（１／３）×Ｌに形成することを特徴とする請求項１に記載の救命用ホイッスル。
【請求項３】
さらに、前記キャップと前記笛部を螺合させる際に前記シート収容空間に収容される前記シートを気密乃至水密状態に置く環状のゴム製パッキンを前記キャップと前記笛部の間に配設したことを特徴とする請求項１または２に記載の救命用ホイッスル。
【考案の詳細な説明】
【技術分野】
【０００１】本考案は、救命時に使用する救命用ホイッスルに関するものである。
【背景技術】
【０００２】人間の聴覚で感じる音の大きさをラウドネスと呼び、音の周波数を変化させたときに等しいラウドネスになる音圧レベルを測定し、等高線として結んだ曲線を等ラウドネス曲線としてＩＳＯ２２６−２００３により国際標準規格化されている（図１１参照）。【０００３】  図１１に示されるように、他の条件が同じならばラウドネスは音圧レベルと相関関係にあるが音の周波数によっても変化する。等ラウドネス曲線に示されるように３〜４ＫＨｚの周波数帯域での感度がよく、低音で感度が悪くなる特性を有している。【０００４】ところで、人間が水や食料なしに生存できるのはおよそ３日程度であるといわれている。倒壊した建物等の中に閉じ込められて、身動きの取れない状況の中で素早く自分の居場所を他人に知らせるため大声を出すことは大変体力を消耗する。【０００５】従来、救急用ホイッスルとして、基部と、この基部に螺合する筒状の笛部とよりなり、基部には薬の収納室を設け、その収納室には蓋を被着し、筒状の笛部が、先端に吹き口および吹き口に嵌合する弁体を備え、前記吹き口と連通する筒状の笛部にはカード収納室を設けるとともに、基部に取付け孔を設け、筒状の笛部には空気孔を設けた救命用ホイッスルが提案されている（特許文献１）。
【先行技術文献】
【０００６】
【特許文献１】  特開平１０−８０４９８号公報
【考案の概要】
【考案が解決しようとする課題】
【０００７】しかしながら、特許文献１に記載された救急用ホイッスルにあっては、笛による吹鳴によって周囲の第三者に報知することにより介護や救助の要請にある程度役立つが、吹き口がかなり大きく開口して形成されているため、例えば、倒壊した建物等の中に閉じ込められ体力が落ちた者にとっては、素早く少量の呼気で自分の居場所を他人に知らせることが難しい、という問題点を有していた。【０００８】本考案は上記事情に鑑みてなされたものであり、本考案の目的は、吹き込み口を小孔により形成し吹き込み口における呼気の空気抵抗を大きく取れるように形成し、少量の呼気により歌口より発する救命音を大きくして、体力の落ちた者にとっても少量の呼気で安定した周波数帯域の救命音を発することを可能とする救命用ホイッスルを提供することにある。【０００９】本考案の他の目的は、一呼吸で長時間救命音を安定した状態で発することを可能とする救命用ホイッスルを提供することにある。
【課題を解決するための手段】
【００１０】本考案に係る救命用ホイッスルは、ホイッスル本体を含んで構成される。ホイッスル本体は、第１の空所を備えたキャップと、キャップに螺合する笛部を含んで形成されている。笛部は、呼気が流入流出する小径の呼気流入流出部と、呼気流入流出部に比べ大径に形成されるとともに、呼気流入流出部の基端部側において隔壁をもって呼気流入流出部と一体的に形成され、医療情報（ＳＯＳ情報）を記したシートを巻紙状にして収容する第２の空所を備えている。笛部の呼気流入流出部には吹込み口と歌口が形成され、吹き込み口は、笛部の底部に開口した小孔により形成されている。第１の空所と第２の空所が形成するスペース（シート収容空間）にシートが収容され、ホイッスル本体はシート収容空間を備えたカプセル部を形成する。【００１１】上記笛部の呼気流入流出部の長手方向の長さをＬ、前記笛部の吹き込み口側の直径をＲとするときに、Ｒが（１／４）×Ｌ以下の場合には得られるホイッスル音が３ＫＨｚ以下と低くなるため、また、Ｒが（１／３）×Ｌ以上の場合には得られるホイッスル音が４ＫＨｚ以上と高くなるため、ＬとＲの関係は、（１／４）×Ｌ＜Ｒ＜（１／３）×Ｌに形成することが好適である。【００１２】さらに、上記キャップと上記笛部を螺合させる際に上記シート収容空間に収容される上記シートを気密乃至水密状態に置く環状のゴム製パッキンを上記キャップと上記笛部の間に配設するとよい。
【考案の効果】
【００１３】上記構成を備えた本考案によれば、次ぎの効果を奏する。
（１）吹き込み口を小孔により形成し吹き込み口における呼気の空気抵抗を大きく取れる    ように形成することにより、少量の呼気により歌口より発する救命音を大きくして、    体力の落ちた者にとっても少量の呼気で安定した周波数帯域、例えば、３〜４ＫＨｚ    周波数帯域の救命音を発することを可能とする救命用ホイッスルが得られる。
（２）一呼吸で歌口より発する救命音を長時間安定した状態で発することを可能とする救    命用ホイッスルが得られる。
【図面の簡単な説明】
【００１４】
【図１】本考案に係る救命用ホイッスルの平面図である。
【図２】本考案に係る救命用ホイッスルの正面図である。
【図３】本考案に係る救命用ホイッスルの左側面図である。
【図４】本考案に係る救命用ホイッスルの斜視図である。
【図５】本考案に係る救命用ホイッスルの構成部品を分離して示す斜視図である。
【図６】図１のＸ−Ｘ断面に救命用ホイッスルを構成するホイッスル本体に呼気の流れを矢印にて入れた状態を示すＸ−Ｘ断面拡大略図である。
【図７】医療情報（ＳＯＳ情報）を記したシートの表面側を示す正面図である。
【図８】医療情報（ＳＯＳ情報）を記したシートの裏面側を示す裏面図である。
【図９】本考案に係る救命用ホイッスルの歌口より発振されるホイッスル音が３〜４ＫＨｚ周波数帯域の音であることを示す周波数解析グラフである。
【図１０】本考案に係る救命用ホイッスルの歌口より発振されるホイッスル音の周波数スペクトル分析グラフであり、ホイッスル音の強さの幅が経時的変化において略一定であることを示す図である。
【図１１】ＩＳＯ２２６−２００３により国際標準規格化されている等ラウドネス曲線を示すグラフである。
【考案を実施するための形態】
【実施例】
【００１５】以下に、本願の救命用ホイッスルの実施例について図面を用いて説明する。【００１６】救命用ホイッスル１は、ホイッスル本体２と、該ホィッスル本体２を吊着する紐３を含んで構成される。前記ホイッスル本体２は、第１の空所１１を備えたキャップ１０と（図６）、該キャップ１０に螺合する笛部２０を含んで形成されている。【００１７】前記笛部２０は、呼気が流入流出する小径の呼気流入流出部２１と、該呼気流入流出部２１に比べ大径に形成されるとともに、前記呼気流入流出部２１の基端部側において隔壁２７をもって前記呼気流入流出部２１と一体的に形成され、片面に医療情報（ＳＯＳ情報）を記したシート４を巻紙状にして収容する第２の空所２２を備えている（図６参照）。【００１８】前記笛部２０の前記呼気流入流出部２１には吹込み口２３と歌口２４が形成され、該吹き込み口２３は、前記笛部２０の底部に開口した小孔により形成されている。【００１９】前記笛部２０の呼気流入流出部２１の長手方向の長さをＬ、前記笛部２０の吹き込み口側の直径をＲとするときに、ＬとＲの関係を（１／４）×Ｌ＜Ｒ＜（１／３）×Ｌに形成する。【００２０】前記第１の空所１１と第２の空所２２が形成するスペース（シート収容空間）２５にシート４が収容され、前記ホイッスル本体２はシート収容空間２５を備えたカプセル部を有する。【００２１】符号２６は前記キャップ１０と前記笛部２０の間に配設される環状のゴム製パッキンであり、前記キャップ１０と笛部２０を螺合させる際に前記シート収容空間２５に収容される前記シート４を気密乃至水密状態に置くことに寄与する。【００２２】前記ホイッスル本体２の全長は７０ｍｍ程、前記笛部２０の大径部の直径は１０ｍｍ程、小径部の直径Ｒは７ｍｍ程に形成されている。【００２３】図９に示す周波数解析グラフに示すように、本考案に係る救命用ホイッスルによれば、得られるホイッスル音が３〜４ＫＨｚ周波数帯域の音が得られる。また、図１０に示すように、本考案に係る救命用ホイッスルによれば、ホイッスル音を長時間安定した状態で発することが可能である。
【符号の説明】
【００２４】１      救命用ホイッスル
２      ホイッスル本体
３      紐
４      シート
１０    キャップ
１１    第１の空所
２０    笛部
２１    呼気流入流出部
２２    第２の空所
２３    吹込み口
２４    歌口
２５    シート収容空間
２６    環状のゴム製パッキン
２７    隔壁
【図１】
0003180244.tif 000003
【図２】
0003180244.tif 000004
【図３】
0003180244.tif 000005
【図４】
0003180244.tif 000006
【図５】
0003180244.tif 000007
【図６】
0003180244.tif 000008
【図７】
0003180244.tif 000009
【図８】
0003180244.tif 000010
【図９】
0003180244.tif 000011
【図１０】
0003180244.tif 000012
【図１１】
0003180244.tif 000013
【手続補正書】
【提出日】平成24年9月14日(2012.9.14)
【手続補正１】
【補正対象書類名】図面
【補正対象項目名】図７
【補正方法】変更
【補正の内容】
【図７】
0003180244.tif 000014
【手続補正２】
【補正対象書類名】図面
【補正対象項目名】図８
【補正方法】変更
【補正の内容】
【図８】
0003180244.tif 000015